(57)【要約】  ガス絶縁開閉装置はＡ相、Ｂ相およびＣ相の遮断器ユニットを備えて構成される。例えばＡ相の遮断器ユニットは、水平な第１方向に直列に接続された遮断器１ａ〜１ｃと、遮断器１ａ上に付設された断路器１６ａ，１８ａと、遮断器２ａ上に付設された断路器１９ａ，２１ａと、遮断器３ａ上に付設された断路器２２ａ，２４ａと、を備え、断路器１６ａは第１方向に延設された主母線１７ａに接続され、断路器２４ａは第１方向に延設された主母線１５ａに接続されている。そして、遮断器１ａ〜１ｃ上の各遮断器はいずれも、その開閉方向が第１方向と直交する第２方向となるように、その長手方向を第２方向に向けて配置されている。これにより、主母線長１５ａ，１７ａの短縮化が可能で、相間距離および遮断器間距離の縮小が可能になる。
2011042947.tif 000002
【特許請求の範囲】
【請求項１】
水平な第１方向に同じ高さで延設された第１および第２の主母線間に配置されそれぞれ遮断器タンクの軸線を前記第１方向に平行な同一直線上に一致させて直列に配置接続された第１〜第３の遮断器と、前記各遮断器の上部の両側に付設された一対の断路器と、を有する各相の遮断器ユニットを前記第１方向と直交する水平方向である第２方向に３相並設してなる３相ユニットを備えたガス絶縁開閉装置であって、
前記第１〜３の遮断器に付設された各断路器はいずれも、その開閉方向が前記第２方向となるように、その長手方向を前記第２方向に向けて配置され、
前記第１の遮断器に付設された一方の断路器は前記第１の主母線に接続され、
前記第１の遮断器に付設された他方の断路器は、第１の線路母線に接続されるとともに前記第２の遮断器に付設された一方の断路器に接続され、
前記第２の遮断器に付設された他方の断路器は、第２の線路母線に接続されるとともに前記第３の遮断器に付設された一方の断路器に接続され、
前記第３の遮断器に付設された他方の断路器は前記第２の主母線に接続されている、  
ことを特徴とするガス絶縁開閉装置。
【請求項２】
前記第１の遮断器に付設された一方の断路器は、その一端部が前記第１の遮断器上に配置されるとともにその他端部が前記第２方向に沿って一方向側に引き出され、当該他端部と前記第１の主母線とが直接接続され、
前記第３の遮断器に付設された他方の断路器は、その一端部が前記第１の遮断器上に配置されるとともにその他端部が前記第２方向に沿って前記一方向側とは反対側に引き出され、当該他端部と前記第２の主母線とが直接接続されている、
ことを特徴とする請求項１に記載のガス絶縁開閉装置。
【請求項３】
前記第２方向に延伸して各相の前記第１の遮断器に付設された前記一方の断路器の操作軸に連結され、当該一方の断路器を３相一括で操作することが可能な第１の操作連結ロッドと、
前記第２方向に延伸して各相の前記第１の遮断器に付設された前記他方の断路器の操作軸に連結され、当該他方の断路器を３相一括で操作することが可能な第２の操作連結ロッドと、
前記第２方向に延伸して各相の前記第２の遮断器に付設された前記一方の断路器の操作軸に連結され、当該一方の断路器を３相一括で操作することが可能な第３の操作連結ロッドと、
前記第２方向に延伸して各相の前記第２の遮断器に付設された前記他方の断路器の操作軸に連結され、当該他方の断路器を３相一括で操作することが可能な第４の操作連結ロッドと、
前記第２方向に延伸して各相の前記第３の遮断器に付設された前記一方の断路器の操作軸に連結され、当該一方の断路器を３相一括で操作することが可能な第５の操作連結ロッドと、
前記第２方向に延伸して各相の前記第３の遮断器に付設された前記他方の断路器の操作軸に連結され、当該他方の断路器を３相一括で操作することが可能な第６の操作連結ロッドと、
を備えることを特徴とする請求項１または２に記載のガス絶縁開閉装置。
【請求項４】
前記第１の線路母線は、前記第１の遮断器に付設された前記他方の断路器の下部に設けられた第１の線路断路器に接続され、前記第１の遮断器の高さと前記第１の主母線の高さの間の高さで延設されるとともに、前記第１の遮断器に付設された両断路器間から引き出され、
前記第２の線路母線は、前記第２の遮断器に付設された前記他方の断路器の下部に設けられた第２の線路断路器に接続され、前記第２の遮断器の高さと前記第１の主母線の高さの間の高さで延設されるとともに、前記第２の遮断器に付設された両断路器間から引き出されている、
ことを特徴とする請求項１〜３のいずれか１項に記載のガス絶縁開閉装置。
【請求項５】
前記第２方向に延伸して各相の前記第１の線路断路器の操作軸に連結され、前記第１の線路断路器を３相一括で操作することが可能な第７の操作連結ロッドと、
前記第２方向に延伸して各相の前記第２の線路断路器の操作軸に連結され、前記第２の線路断路器を３相一括で操作することが可能な第８の操作連結ロッドと、
を備えることを特徴とする請求項４に記載のガス絶縁開閉装置。
【請求項６】
前記第１および第２の主母線は、前記第１〜第３の遮断器にそれぞれ付設された各断路器と同じ高さで延設されていることを特徴とする請求項１〜５のいずれか１項に記載のガス絶縁開閉装置。
【請求項７】
前記第１の主母線は前記第１の遮断器に付設された前記一方の断路器の上部に配置され、前記第２の主母線は前記第３の遮断器に付設された前記他方の断路器の上部に配置されていることを特徴とする請求項１〜５のいずれか１項に記載のガス絶縁開閉装置。
【請求項８】
前記第１の遮断器に付設された前記他方の断路器、前記第２の遮断器に付設された前記一方の断路器、前記第２の遮断器に付設された前記他方の断路器、および前記第３の遮断器に付設された前記一方の断路器はいずれも、その一端部が前記第１〜第３の遮断器の軸線上に配置されるとともに、その他端部が前記第１〜第３の遮断器の軸線に対して前記第２方向における一方側に引き出されており、
前記第１および第２の線路母線も、前記一方向側に引き出されている、
ことを特徴とする請求項１〜７のいずれか１項に記載のガス絶縁開閉装置。
【請求項９】
前記第１の遮断器に付設された前記他方の断路器と前記第２の遮断器に付設された前記一方の断路器との間、および前記第２の遮断器に付設された前記他方の断路器と前記第３の遮断器に付設された前記一方の断路器との間の少なくとも一方は、ベローズを介して接続されていることを特徴とする請求項１〜８のいずれか１項に記載のガス絶縁開閉装置。
【請求項１０】
前記第１〜第３の遮断器はいずれも架台上に設置され、
前記各遮断器の操作装置はそれぞれ前記各遮断器の下部に設けられていることを特徴とする請求項１〜９のいずれか１項に記載のガス絶縁開閉装置。
【請求項１１】
各相ごとに前記第１および第２の主母線を共有する複数の前記３相ユニットが前記第１方向に沿って配置され、
隣接する前記３相ユニット間で前記第１および第２の線路母線の引き出し方向が前記第２方向において互いに逆向きになっている、
ことを特徴とする請求項１〜１０のいずれか１項に記載のガス絶縁開閉装置。
【発明の詳細な説明】
【技術分野】
【０００１】
本発明は、１対の主母線間に３台の遮断器が配置接続されたガス絶縁開閉装置に関するものである。
【背景技術】
【０００２】
一般にガス絶縁開閉装置は、絶縁性能および消弧性能に優れたＳＦ６（六フッ化硫黄）ガス等の絶縁ガスを封入した金属容器内に遮断器、断路器、および母線などの所要機器を配置して構成され、変電所および発電所等の電気所で使用される。【０００３】
特許文献１では、１対の主母線間に３台の遮断器を配置接続してなる、いわゆる１・１／２ＣＢ（Circuit Breaker）方式のガス絶縁開閉装置が記載されている。具体的には、１対の主母線間に第１〜第３の遮断器がそれぞれ軸線を水平にして直列に接続され、各遮断器の上部の両側にはそれぞれ断路器が付設されている。また、各断路器はその動作方向が各遮断器の軸線方向となるようにその長手方向を前記軸線方向に一致させて配置されている。従って、各遮断器と各断路器は同一面上に配置される。また、このような３台の遮断器からなるユニットを３相分、前記軸線に直交する方向に配列している。
【先行技術文献】
【特許文献】
【０００４】
【特許文献１】特開２００２−１８６１２４号公報
【発明の概要】
【発明が解決しようとする課題】
【０００５】
しかしながら、上記特許文献１に記載の従来のガス絶縁開閉装置では、各遮断器と各断路器とが同一面上に配置されているため、主母線を例えば第１の遮断器に付設された一方の断路器に接続する場合、前記主母線を当該断路器から前記同一面に垂直な方向に一旦引き出した後にその方向を前記軸線方向に転換して延設する必要があった。そのため、前記同一面に垂直な方向への引き出し分主母線長が長くなって相間距離が増大し、その結果ガス絶縁開閉装置の据付面積も増大するという問題点があった。【０００６】
また、特許文献１では、各断路器は各遮断器の軸線方向に延伸しているため、断路器の長さ分遮断器間距離が増大して主母線長が長くなり、その結果ガス絶縁開閉装置の据付面積も増大するという問題点があった。【０００７】
本発明は、上記に鑑みてなされたものであって、主母線長の短縮化が可能で、相間距離および遮断器間距離の縮小が可能なガス絶縁開閉装置を提供することを目的とする。
【課題を解決するための手段】
【０００８】
上述した課題を解決し、目的を達成するために、本発明にかかるガス絶縁開閉装置は、水平な第１方向に同じ高さで延設された第１および第２の主母線間に配置されそれぞれ遮断器タンクの軸線を前記第１方向に平行な同一直線上に一致させて直列に配置接続された第１〜第３の遮断器と、前記各遮断器の上部の両側に付設された一対の断路器と、を有する各相の遮断器ユニットを前記第１方向と直交する水平方向である第２方向に３相並設してなる３相ユニットを備えたガス絶縁開閉装置であって、前記第１〜３の遮断器に付設された各断路器はいずれも、その開閉方向が前記第２方向となるように、その長手方向を前記第２方向に向けて配置され、前記第１の遮断器に付設された一方の断路器は前記第１の主母線に接続され、前記第１の遮断器に付設された他方の断路器は、第１の線路母線に接続されるとともに前記第２の遮断器に付設された一方の断路器に接続され、前記第２の遮断器に付設された他方の断路器は、第２の線路母線に接続されるとともに前記第３の遮断器に付設された一方の断路器に接続され、前記第３の遮断器に付設された他方の断路器は前記第２の主母線に接続されていることを特徴とする。
【発明の効果】
【０００９】
この発明によれば、第１〜第３の遮断器を第１方向に直列配置し、第１〜第３の遮断器上に付設された各断路器に対してその開閉方向が第１方向と直交する第２方向となるようにその長手方向を第２方向に向けて配置したので、主母線長の短縮化が可能で、相間距離および遮断器間距離の縮小が可能になる、という効果を奏する。
【図面の簡単な説明】
【００１０】
【図１】図１は、実施の形態１にかかるガス絶縁開閉装置の構成を示す上面図である。
【図２】図２は、実施の形態１にかかるガス絶縁開閉装置の構成を示す側面図である。
【図３】図３は、図２におけるＡ−Ａ断面図である。
【図４】図４は、実施の形態２にかかるガス絶縁開閉装置の構成を示す上面図である。
【図５】図５は、実施の形態３にかかるガス絶縁開閉装置の構成を示す上面図である。
【図６】図６は、実施の形態３にかかるガス絶縁開閉装置の構成を示す側面図である。
【図７】図７は、図６におけるＢ−Ｂ断面図である。
【図８】図８は、実施の形態４にかかるガス絶縁開閉装置の構成を示す上面図である。
【図９】図９は、実施の形態１における遮断器ユニットの単線結線図である。
【発明を実施するための形態】
【００１１】
以下に、本発明にかかるガス絶縁開閉装置の実施の形態を図面に基づいて詳細に説明する。なお、この実施の形態によりこの発明が限定されるものではない。
【００１２】
実施の形態１．
図１は、本実施の形態にかかるガス絶縁開閉装置の構成を示す上面図、図２は、本実施の形態にかかるガス絶縁開閉装置の構成を示す側面図、図３は、図２におけるＡ−Ａ断面図である。なお、図１〜図３では、内部構成を一部透視した形で示している。
【００１３】
図１〜図３に示すように、本実施の形態にかかるガス絶縁開閉装置は３相ユニット５０を備えてなり、この３相ユニット５０は、後述するＡ相、Ｂ相、およびＣ相の各遮断器ユニットと、Ａ相の主母線１５ａ，１７ａと、Ａ相の線路母線２６ａ，２７ａと、Ｂ相の主母線１５ｂ，１７ｂと、Ｂ相の線路母線２６ｂ，２７ｂと、Ｃ相の主母線１５ｃ，１７ｃと、Ｃ相の線路母線２６ｃ，２７ｃと、線路母線２６ａ〜２６ｃの各先端に設けられた例えば気中ブッシング２８ａ〜２８ｃと、線路母線２７ａ〜２７ｃの各先端に設けられた例えば気中ブッシング２９ａ〜２９ｃと、を備えて構成される。なお、主母線１７ａ、主母線１７ｂ、または主母線１７ｃは、第１の主母線に相当し、主母線１５ａ、主母線１５ｂ、または主母線１５ｃは、第２の主母線に相当する。また、線路母線２６ａ、線路母線２６ｂ、または線路母線２６ｃは、第１の線路母線に相当し、線路母線２７ａ、線路母線２７ｂ、または線路母線２７ｃは、第２の線路母線に相当する。
【００１４】
Ａ相の遮断器ユニットは、主たる構成要素として、遮断器１ａ〜３ａ、断路器１６ａ，１８ａ，１９ａ，２１ａ，２２ａ，２４ａ、および線路断路器５ａ，７ａを備えている。また、Ｂ相の遮断器ユニットは、主たる構成要素として、遮断器１ｂ〜３ｂ、断路器１６ｂ，１８ｂ，１９ｂ，２１ｂ，２２ｂ，２４ｂ、および線路断路器５ｂを備えている。また、Ｃ相の遮断器ユニットは、主たる構成要素として、遮断器１ｃ〜３ｃ、断路器１６ｃ，１８ｃ，１９ｃ，２１ｃ，２２ｃ，２４ｃ、および線路断路器５ｃを備えている。すなわち、３相の遮断器ユニットが並設されている。
【００１５】
なお、遮断器１ａ〜３ａ、遮断器１ｂ〜３ｂ、または遮断器１ｃ〜３ｃは、第１〜第３の遮断器に相当する。また、断路器１６ａ、断路器１６ｂ、または断路器１６ｃは、第１の遮断器に付設された一方の断路器であり、断路器１８ａ、断路器１８ｂ、または断路器１８ｃは、第１の遮断器に付設された他方の断路器である。また、断路器１９ａ、断路器１９ｂ、または断路器１９ｃは、第２の遮断器に付設された一方の断路器であり、断路器２１ａ、断路器２１ｂ、または断路器２１ｃは、第２の遮断器に付設された他方の断路器である。また、断路器２２ａ、断路器２２ｂ、または断路器２２ｃは、第３の遮断器に付設された一方の断路器であり、断路器２４ａ、断路器２４ｂ、または断路器２４ｃは、第３の遮断器に付設された他方の断路器である。
【００１６】
以下では、主にＡ相の遮断器ユニットについて説明するが、Ｂ相およびＣ相についても同様である。
【００１７】
一対の主母線である主母線１５ａ，１７ａは、所定の間隔を置いて互いに平行に水平な一方向（以下、第１方向という。）に延設されている。なお、主母線１５ｂ，１７ｂ、および主母線１５ｃ，１７ｃについても主母線１５ａ，１７ａと同様であり、これらの主母線はすべて同じ高さで延設されている。
【００１８】
主母線１５ａ，１７ａ間には、直列に接続された三台の遮断器１ａ〜３ａが配置されており、各遮断器はＳＦ６（六フッ化硫黄）ガス等の絶縁消弧性ガスが充填された例えば円筒状の遮断器タンク内に遮断部（図示せず）を配置して構成されている。また、各遮断器タンクの軸線は上記第１方向に平行な同一直線上に配置され、三台の遮断器１ａ〜３ａは第１方向に直列に配置されている。このように、遮断器１ａ〜３ａは、各軸線を水平方向にして配置されたいわゆる横形の遮断器である。また、遮断器１ａ〜３ａの下部には、各遮断器を操作するための操作装置１３がそれぞれ設けられている。また、遮断器１ａ〜３ａは、架台１０上に載置されている。なお、遮断器１ｂ〜３ｂ、１ｃ〜３ｃについても同様であり、これらの遮断器はすべて同じ高さで配置されている。
【００１９】
遮断器１ａは、いわゆるπ型の形状をしており、その上部の両側に２つの引出し口４ａ，１１ａを有している。引出し口４ａの内部には計器用変流器８０ａが設けられている。同様に、引出し口１１ａの内部には計器用変流器８１ａが設けられている。これらの計器用変流器８０ａ，８１ａは、それぞれ遮断器１ａの遮断部に接続された中心導体（図示せず）に通流する電流を計測する。
【００２０】
引出し口４ａの上部には、遮断器１ａ上に付設された２つの断路器のうちの一方である断路器１６ａが設けられている。断路器１６ａは、その動作方向（すなわち、開閉方向）が第１方向と直交する水平方向（以下、第２方向という。）となるように、その長手方向を第２方向に向けて配置されている。第２方向は相間方向でもある。また、断路器１６ａの上部には、断路器１６ａを開閉操作するための操作軸９０ａが設けられている。操作軸９０ａは、上方に突き出ている。なお、断路器１６ａは、図示しない接地開閉器を備えている。
【００２１】
また、図１に示すように、断路器１６ａは、その一端部が遮断器１ａ上に配置されるとともに、その他端部が遮断器１ａから離れるように第２方向に沿ってＢ相の遮断器ユニット側に引き出されている。そして、この断路器１６ａの他端部に主母線１７ａが接続されている。ここで、主母線１７ａは、第１方向に延伸した状態で断路器１６ａの他端部に直接接続されている。本実施の形態では、主母線１７ａは、例えば断路器１６ａと同じ高さで配置されている。なお、本実施の形態では、断路器１６ａ〜１６ｃ，１８ａ〜１８ｃ，１９ａ〜１９ｃ，２１ａ〜２１ｃ，２２ａ〜２２ｃ，２４ａ〜２４ｃはすべて同じ高さで配置され、かつ、主母線１５ａ〜１５ｃ，１７ａ〜１７ｃも各断路器と同じ高さで配置されている。なお、断路器の配置高さと主母線の配置高さとの関係は、本実施の形態の例に限定されない。
【００２２】
一方、引出し口１１ａの上部には、遮断器１ａ上に付設された２つの断路器のうちの他方である断路器１８ａが設けられている。断路器１８ａは、断路器１６ａと同様に、その動作方向が第２方向となるように、その長手方向を第２方向に向けて配置されている。また、断路器１８ａの上部には、断路器１８ａを開閉操作するための操作軸９１ａが設けられている。操作軸９１ａは、上方に突き出ている。なお、断路器１８ａは、図示しない接地開閉器を備えている。
【００２３】
また、図１に示すように、断路器１８ａは、その一端部が遮断器１ａ上に配置されるとともに、その他端部が遮断器１ａから離れるように第２方向に沿ってＢ相の遮断器ユニット側とは反対側に引き出されている。そして、この断路器１８ａの他端部の例えば下部には線路断路器５ａが設けられている。このように断路器１８ａの下部に線路断路器５ａが接続されているため、図３に示すように、断路器１８ａおよび線路断路器５ａを共通に含む断路器タンク３４の形状は略Ｔ字型となっている。また、線路断路器５ａの遮断器２ａ側の側面には、線路断路器５ａを操作するための操作軸９２ａが設けられている。操作軸９２ａは、側方に突き出ている。なお、このような構造は、断路器１８ｂ，１８ｃについても同様である。線路断路器５ａ、線路断路器５ｂ、または線路断路器５ｃは、第１の線路断路器に相当する。
【００２４】
また、線路断路器５ａには線路母線２６ａが接続され、この線路母線２６ａは、高さ方向において遮断器１ａと主母線１７ａとの間に位置している（図２）。また、線路母線２６ａは、断路器１６ａ，１８ａ間から引き出されている。このような関係は、他の線路母線２６ｂ，２６ｃ，２７ａ〜２７ｃについても同様であり、各線路母線は、高さ方向において各遮断器と各主母線との間に位置するとともに、対応する断路器間からそれぞれ引き出されている。線路母線２６ｂは、Ｂ相の遮断器ユニットにおける断路器１８ｂの下部に設けられた線路断路器５ｂから一旦第１方向に引き出された後、第２方向に方向を転換して主母線１７ａの下方を通過し、さらに遮断器１ａの上方を通過している。また、線路母線２６ｃは、Ｃ相の遮断器ユニットにおける断路器１８ｃの下部に設けられた線路断路器５ｃから一旦第１方向に引き出された後、第２方向に方向を転換して主母線１７ｂの下方を通過し、遮断器１ｂの上方を通過し、主母線１７ａの下方を通過し、さらに遮断器１ａの上方を通過している。
【００２５】
次に、遮断器２ａについて説明する。遮断器２ａは、同様にπ型の形状をしており、その上部の両側に２つの引出し口を有する。なお、図１では、２つの引出し口の一方である引出し口６ａを示しているが、他方の引出し口は線路断路器７ａの背後に存在するため符号を付して図示していない。引出し口６ａの内部には計器用変流器８２ａが設けられている。同様に、図示しない他方の引出し口の内部にも計器用変流器（図示せず）が設けられている。これらの計器用変流器は、それぞれ遮断器２ａの遮断部に接続された中心導体（図示せず）に通流する電流を計測する。
【００２６】
引出し口６ａの上部には、遮断器２ａ上に付設された２つの断路器のうちの一方である断路器１９ａが設けられている。断路器１９ａは、その動作方向が第２方向となるように、その長手方向を第２方向に向けて配置されている。また、断路器１９ａの上部には、断路器１９ａを開閉操作するための操作軸９３ａが設けられている。操作軸９３ａは、上方に突き出ている。なお、断路器１９ａは、図示しない接地開閉器を備えている。
【００２７】
また、図１に示すように、断路器１９ａは、その一端部が遮断器２ａ上に配置されるとともに、その他端部が遮断器２ａから離れるように第２方向に沿ってＢ相の遮断器ユニット側とは反対側に引き出されている。そして、この断路器１９ａの他端部と、前述した断路器１８ａの他端部とが、第１方向に延伸する例えばベローズ２０ａにより接続されている。ベローズ２０ａは、ガス絶縁開閉装置に印加された振動を吸収し緩和する効果がある。なお、ベローズ２０ａの代わりに、断路器１８ａ、１９ａ間を接続タンクで接続してもよい。
【００２８】
一方、遮断器２ａ上の図示しない他方の引出し口の上部には、遮断器２ａ上に付設された２つの断路器のうちの他方である断路器２１ａが設けられている。断路器２１ａは、断路器１６ａ等と同様に、その動作方向が第２方向となるように、その長手方向を第２方向に向けて配置されている。また、断路器２１ａの上部には、断路器２１ａを開閉操作するための操作軸９４ａが設けられている。操作軸９４ａは、上方に突き出ている。なお、断路器２１ａは、図示しない接地開閉器を備えている。
【００２９】
また、図１に示すように、断路器２１ａは、その一端部が遮断器２ａ上に配置されるとともに、その他端部が遮断器２ａから離れるように第２方向に沿ってＢ相の遮断器ユニット側とは反対側に引き出されている。そして、この断路器２１ａの他端部の下部には線路断路器７ａが設けられている。なお、断路器２１ａおよび線路断路器７ａは、図３の断路器タンク３４と同様の形状の断路器タンク内に収納されている。また、線路断路器７ａの遮断器３ａ側の側面には、線路断路器７ａを操作するための操作軸９５ａが設けられている。操作軸９５ａは、側方に突き出ている。なお、このような構造は、断路器２１ｂ，２２ｃについても同様である。断路器２１ａの下部に接続された線路断路器７ａ、断路器２１ｂの下部に接続された線路断路器（図示せず）、または断路器２１ｃの下部に接続された線路断路器（図示せず）は、第２の線路断路器に相当する。
【００３０】
また、線路断路器７ａには線路母線２７ａが接続され、この線路母線２７ａは、前述のように、高さ方向において遮断器２ａと主母線１７ａとの間に位置している（図２）。また、線路母線２７ａは、断路器１９ａ，２１ａ間から引き出されている。また、線路母線２７ｂは、Ｂ相の遮断器ユニットにおける断路器２１ｂの下部に設けられた線路断路器（図示せず）から一旦第１方向に引き出された後、第２方向に方向を転換して主母線１７ａの下方を通過し、さらに遮断器２ａの上方を通過している。また、線路母線２７ｃは、Ｃ相の遮断器ユニットにおける断路器２１ｃの下部に設けられた線路断路器（図示せず）から一旦第１方向に引き出された後、第２方向に方向を転換して主母線１７ｂの下方を通過し、遮断器２ｂの上方を通過し、主母線１７ａの下方を通過し、さらに遮断器２ａの上方を通過している。
【００３１】
次に、遮断器３ａについて説明する。遮断器３ａは、同様にπ型の形状をしており、その上部の両側に２つの引出し口８ａ，９ａを有している。引出し口８ａの内部には計器用変流器８４ａが設けられている。同様に、引出し口９ａの内部にも計器用変流器８５ａが設けられている。これらの計器用変流器８４ａ，８５ａは、それぞれ遮断器３ａの遮断部に接続された中心導体（図示せず）に通流する電流を計測する。
【００３２】
引出し口８ａの上部には、遮断器２ａ上に付設された２つの断路器のうちの一方である断路器２２ａが設けられている。断路器２２ａは、その動作方向が第２方向となるように、その長手方向を第２方向に向けて配置されている。また、断路器２２ａの上部には、断路器２２ａを開閉操作するための操作軸９６ａが設けられている。操作軸９６ａは、上方に突き出ている。なお、断路器２２ａは、図示しない接地開閉器を備えている。
【００３３】
また、図１に示すように、断路器２２ａは、その一端部が遮断器３ａ上に配置されるとともに、その他端部が遮断器３ａから離れるように第２方向に沿ってＢ相の遮断器ユニット側とは反対側に引き出されている。そして、この断路器２２ａの他端部と、前述した断路器２１ａの他端部とが、第１方向に延伸する例えば接続タンク２３ａにより接続されている。なお、接続タンク２３ａの代わりに、断路器２１ａ、２２ａ間をベローズで接続してもよい。接続タンク２３ａの長さは、ベローズ２０ａの長さよりも短くなっている。
【００３４】
一方、遮断器３ａ上の他方の引出し口９ａの上部には、遮断器３ａ上に付設された２つの断路器のうちの他方である断路器２４ａが設けられている。断路器２４ａは、断路器１６ａ等と同様に、その動作方向が第２方向となるように、その長手方向を第２方向に向けて配置されている。また、断路器２４ａの上部には、断路器２４ａを開閉操作するための操作軸９７ａが設けられている。操作軸９７ａは、上方に突き出ている。なお、断路器２４ａは、図示しない接地開閉器を備えている。
【００３５】
また、図１に示すように、断路器２４ａは、その一端部が遮断器３ａ上に配置されるとともに、その他端部が遮断器３ａから離れるように第２方向に沿ってＢ相の遮断器ユニット側とは反対側に引き出されている。そして、この断路器２４ａの他端部に主母線１５ａが接続されている。ここで、主母線１５ａは、第１方向に延伸した状態で断路器２４ａの他端部に直接接続されている。
【００３６】
なお、図１に示すように、例えば遮断器１ａ、断路器１８ａ、ベローズ２０ａ、断路器１９ａ、遮断器２ａ、断路器２１ａ、接続タンク２３ａ、断路器２２ａ、遮断器３ａ、および断路器２４ａからなる接続経路では、ベローズ２０ａ（または接続タンク２３ａ）の軸線は遮断器１ａ〜３ａの軸線に対してＢ相の遮断器ユニット側と反対側に一定距離シフトしている。別言すれば、断路器１８ａ，１９ａ，２１ａ，２２ａの引き出し方向を線路母線２６ａ〜２６ｃ、２７ａ〜２７ｃの引き出し方向にしている。また、遮断器１ａ、ベローズ２０ａ、遮断器２ａ、接続タンク２３ａ、および遮断器３ａは、遮断器１ａの軸線を含む直線上とベローズ２０ａの軸線を含む直線上に交互に配置されている。
【００３７】
なお、本実施の形態では、断路器１８ａ，１９ａ，２１ａ，２２ａはＢ相の遮断器ユニット側と反対側に引き出されているが、Ｂ相の遮断器ユニット側に引き出される形態も可能である。この場合、ベローズ２０ａ（または接続タンク２３ａ）の軸線は遮断器１ａ〜３ａの軸線に対してＢ相の遮断器ユニット側に一定距離シフトする。
【００３８】
以上、Ａ相の遮断器ユニットの構成について詳述したが、かかる構成を有する３相の遮断器ユニットが第２方向に並設されている。
【００３９】
図９は、本実施の形態における遮断器ユニットの単線結線図である。この単線結線図は、Ａ相、Ｂ相、およびＣ相のいずれの遮断器ユニットについても成り立つものである。例えば、Ａ相の遮断器ユニットとの対応では、主母線ＢＵＳ１は主母線１７ａ、断路器ＤＳ１１は断路器１６ａ、計器用変流器ＣＴ１１は計器用変流器８０ａ、遮断器ＣＢ１は遮断器１ａ、計器用変流器ＣＴ１２は計器用変流器８１ａ、断路器ＤＳ１２は断路器１８ａ、線路断路器ＤＳ１３は線路断路器５ａ、気中ブッシングＢｇ１は気中ブッシング２８ａ、断路器ＤＳ２１は断路器１９ａ、計器用変流器ＣＴ２１は計器用変流器８２ａ、遮断器ＣＢ２は遮断器２ａ、計器用変流器ＣＴ２２は図示しない遮断器２ａの他方の計器用変流器、断路器ＤＳ２２は断路器２２ａ、線路断路器ＤＳ３３は線路断路器７ａ、気中ブッシングＢｇ２は気中ブッシング２９ａ、断路器ＤＳ３１は断路器２２ａ、計器用変流器ＣＴ３１は計器用変流器８４ａ、遮断器ＣＢ３は遮断器３ａ、計器用変流器ＣＴ３２は計器用変流器８５ａ、断路器ＤＳ３２は断路器２４ａ、主母線ＢＵＳ２は主母線１５ａに、それぞれ対応する。
【００４０】
図９に示すように、主母線ＢＵＳ１およびＢＵＳ２間に３台の遮断器ＣＢ１，ＣＢ２，ＣＢ３が電気的に直列に接続されている。
【００４１】
遮断器ＣＢ１の両側には断路器ＤＳ１１および断路器ＤＳ１２が接続されている。また、遮断器ＣＢ１と断路器ＤＳ１１との間には計器用変流器ＣＴ１１が接続され、遮断器ＣＢ１と断路器ＤＳ１２との間には計器用変流器ＣＴ１２が接続されている。
【００４２】
同様に、遮断器ＣＢ２の両側には断路器ＤＳ２１および断路器ＤＳ２２が接続されている。また、遮断器ＣＢ２と断路器ＤＳ２１との間には計器用変流器ＣＴ２１が接続され、遮断器ＣＢ２と断路器ＤＳ２２との間には計器用変流器ＣＴ２２が接続されている。
【００４３】
同様に、遮断器ＣＢ３の両側には断路器ＤＳ３１および断路器ＤＳ３２が接続されている。また、遮断器ＣＢ３と断路器ＤＳ３１との間には計器用変流器ＣＴ３１が接続され、遮断器ＣＢ３と断路器ＤＳ３２との間には計器用変流器ＣＴ３２が接続されている。
【００４４】
断路器ＤＳ１２と断路器ＤＳ２１間は線路断路器ＤＳ１３を介して気中ブッシングＢｇ１に接続されている。同様に、断路器ＤＳ２２と断路器ＤＳ３１間は線路断路器ＤＳ３３を介して気中ブッシングＢｇ２に接続されている。
【００４５】
次に、操作連結ロッド３６〜４３について説明する。前述のように断路器１６ａ上には操作軸９０ａが設けられているが、断路器１６ｂ，１６ｃ上にもそれぞれ同様の箇所に操作軸（図示せず）が設けられている。操作連結ロッド３６（第１の操作連結ロッド）は、第２方向に延在して断路器１６ａ〜１６ｃの各操作軸に連結され、当該３相の断路器を一括操作することができる。このとき、断路器１６ａ〜１６ｃの各操作軸は各遮断器の上方に突き出ているため、操作連結ロッド３６を各操作軸に容易に連結することができる。これは断路器１８ａ〜１８ｃについても同様であり、操作連結ロッド３７（第２の操作連結ロッド）は、第２方向に延在して断路器１８ａ上の操作軸９１ａ、断路器１８ｂ上の操作軸９１ｂ、および断路器１８ｃ上の操作軸９１ｃにそれぞれ連結され、断路器１８ａ〜１８ｃを一括操作することができる（図３）。同様にして、操作連結ロッド３８（第３の操作連結ロッド）は断路器１９ａ〜１９ｃを、操作連結ロッド３９（第４の操作連結ロッド）は断路器２１ａ〜２１ｃを、操作連結ロッド４０（第５の操作連結ロッド）は断路器２２ａ〜２２ｃを、操作連結ロッド４１（第６の操作連結ロッド）は断路器２４ａ〜２４ｃを、それぞれ一括操作することができる。
【００４６】
また、操作連結ロッド４２（第７の操作連結ロッド）は、第２方向に延在して断路器１８ａ〜１８ｃの下部に接続された各線路断路器の操作軸（操作軸９２ａなど）に連結され、当該３相の線路断路器を一括操作することができる。操作連結ロッド４２は、各線路断路器の側面に連結され、詳細には断路器１９ａ〜１９ｃ側に配置されている。また、操作連結ロッド４２は、遮断器１ａ〜１ｃと断路器１８ａ〜１８ｃとの間の高さで配置されている。操作連結ロッド４３（第８の操作連結ロッド）についても同様であり、断路器２１ａ〜２１ｃの下部に接続された各線路断路器の操作軸（操作軸９５ａなど）に連結され、当該３相の線路断路器を一括操作することができる。
【００４７】
また、図１に示すように、気中ブッシング２８ａ〜２８ｃ，２９ａ〜２９ｃは、例えば互いに等間隔で配置されている。線路母線２６ａ〜２６ｃ，２７ａ〜２７ｃは、３相の遮断器ユニットから第２の方向に引き出された後、気中ブッシング２８ａ〜２８ｃ，２９ａ〜２９ｃの配置に応じて、それぞれ所定の方向に沿って延設されている。なお、本実施の形態では、線路母線２６ａ〜２６ｃ，２７ａ〜２７ｃは、Ａ相の遮断器ユニットからみてＢ相の遮断器ユニット側とは反対側に引き出されているが、Ｂ相の遮断器ユニット側に引き出す構成も可能である。
【００４８】
以上説明したように、本実施の形態においては、第１〜第３の遮断器（遮断器１ａ〜３ａ、遮断器１ｂ〜３ｂ、または遮断器１ｃ〜３ｃ）を第１方向に直列配置し、第１〜第３の遮断器上に付設された各断路器に対してその開閉方向が第１方向と直交する第２方向となるようにその長手方向を第２方向に向けて配置するようにしている。この構成により、第１の遮断器上に付設された一方の断路器（断路器１６ａ、断路器１６ｂ、または断路器１６ｃ）は第２方向に引き出されているので、第１の主母線（主母線１７ａ、主母線１７ｂ、または主母線１７ｃ）を第１の遮断器（遮断器１６ａ、遮断器１６ｂ、または遮断器１６ｃ）に接続する際に、第２方向に余分に主母線タンクを設けて第１の主母線を引き出す必要がなく、第１方向に延設された第１の主母線を当該一方の断路器に直接接続することができる。これは、第２の主母線（主母線１５ａ、主母線１５ｂ、または主母線１５ｃ）についても同様である。従って、特許文献１に開示された構成と比較すると、第１および第２の主母線の引き出しが容易となり、各主母線の長さが短くなるとともに、相間距離Ｄが縮小し（図１）、その結果ガス絶縁開閉装置の据付面積も縮小するという効果がある。
【００４９】
また、本実施の形態によれば、第１〜第３の遮断器上に付設された各断路器はその長手方向を第２方向に向けて配置されているので、各断路器は第１方向に関して各遮断器上に配置されることになり、遮断器間距離ｌは実質的にベローズ２０ａの長さまたは接続タンク２３ａの長さで決まる（図２）。そのため、特許文献１に開示された構成のように、各断路器の長さ分遮断器間距離が増大することがない。従って、遮断器間距離ｌまたは母線長Ｌ（図２）の短縮化が可能で、その結果ガス絶縁開閉装置の据付面積も縮小する。
【００５０】
なお、本実施の形態における各相の遮断器ユニットは、１・１／２ＣＢ（Circuit Breaker：遮断器）方式のユニットである。１・１／２ＣＢ式は、２回線の引き出し用として３台の遮断器を使用することで、母線事故の場合でも系統に影響を与えないようにするとともに、遮断器等の点検に際して、線路の停止を伴わないように配慮した方式である。
【００５１】
また、本実施の形態によれば、例えば３相の断路器１６ａ，１６ｂ，１６ｃの各操作軸が同じ方向を向いて上方に突出しかつ同一平面上に配置されているので、一本の操作連結ロッド３６により各操作軸を容易に連結することができる。そのため、３相分の断路器を一括操作するための連結機構が簡素化される。なお、操作連結ロッド３７〜４３についても同様の効果を奏する。
【００５２】
一方、特許文献１では、断路器の動作方向が遮断器の軸線方向であることから、断路器の操作軸は相間方向に向いているが、相間方向には各相の断路器が配置されている。従って、３相の断路器を一括して操作する場合、各相の断路器本体が操作装置と各相の断路器の操作軸との連結の妨げとなる。そのため、操作装置と各操作軸との間に中間の連結機構を介在させ、各操作軸を中間の連結機構により一旦断路器の上部に引き出すなどして相間方向において断路器本体が妨げとならないようにした上で操作装置と各操作軸とを連結する必要があった。そのため、複雑な連結機構が必要になるという問題点があった。
【００５３】
また、本実施の形態によれば、線路母線２６ａ〜２６ｃ，２７ａ〜２７ｃは、遮断器１ａ〜１ｃの高さと主母線１７ａ〜１７ｃ，１５ａ〜１５ｃの高さの間の高さで延設され、かつ、各主母線は各断路器と同じ高さに設置されているので、ユニット全体の高さが各遮断器の設置高さと当該遮断器上に付設された断路器の高さ方向の長さで決まっており、ガス絶縁開閉装置の低層配置が可能となる。
【００５４】
また、本実施の形態によれば、例えば線路母線２６ａ〜２６ｃは第１の遮断器（１ａ〜１ｃ）に付設された両断路器間、詳細には、一対の引出し口間に配置されているので、引出し口により第１の遮断器と各断路器との間に形成された空間を有効利用する形となり、相間距離および遮断器間距離が増大することがない。これは線路母線２７ａ〜２７ｃについても同様である。
【００５５】
また、本実施の形態によれば、第１の遮断器に付設された他方の断路器（断路器１８ａ〜１８ｃ）、第２の遮断器に付設された一方の断路器（断路器１９ａ〜１９ｃ）、第２の遮断器に付設された他方の断路器（断路器２１ａ〜２１ｃ）、および第３の遮断器に付設された一方の断路器（断路器２２ａ〜２２ｃ）はいずれも、その一端部が第１〜第３の遮断器の軸線上に配置されるとともに、その他端部が第１〜第３の遮断器の軸線に対して第２方向における一方側（Ａ相の遮断器ユニットからみてＢ相の遮断器ユニット側とは反対側）に引き出されており、かつ、線路母線２６ａ〜２６ｃ，２７ａ〜２７ｃも前記一方向側に引き出されている。従って、第２方向における各線路母線の長さが短縮されるという効果がある。
【００５６】
また、本実施の形態によれば、例えば断路器１８ａ，１９ａ間はベローズ２０ａで接続されているため、各遮断器の動作時に発生する振動、または地震による振動などが吸収され、振動を緩和することができる。
【００５７】
また、本実施の形態によれば、各遮断器は架台１０上に載置されているため、ガス絶縁開閉装置の設置面と各遮断器との間に空間が形成されるが、各遮断器の操作装置１３はこの空間を利用する形で各遮断器の下部に設置されている。これにより、操作装置１３の合理的配置が可能になる。
【００５８】
実施の形態２．
図４は、本実施の形態にかかるガス絶縁開閉装置の構成を示す上面図である。図４に示すように、本実施の形態にかかるガス絶縁開閉装置は、隣接する２つの３相ユニット５０，５１を備えている。ここで、３相ユニット５０は、主母線１５ａ〜１５ｃ，１７ａ〜１７ｃの接続形態を除けば、実施の形態１で説明したものと同じである。また、３相ユニット５１は、３相ユニット５０と同様の遮断器ユニットから構成されている。さらに、３相ユニット５１の各遮断器ユニットの配置も３相ユニット５０の場合と同様である。なお、３相ユニット５１は、３相ユニット５０と主母線１５ａ〜１５ｃ，１７ａ〜１７ｃを共有している。
【００５９】
３相ユニット５１と３相ユニット５０との違いは、線路母線の引き出し方向の違いである。すなわち、３相ユニット５０の線路母線２６ａ〜２６ｃ，２７ａ〜２７ｃの引き出し方向と、３相ユニット５１の線路母線３０ａ〜３０ｃ，３１ａ〜３１ｃの引き出し方向とは、実施の形態１で定義した第２方向において互いに逆向きになっている。なお、線路母線３０ａ〜３０ｃの各先端にはそれぞれ例えば気中ブッシング３２ａ〜３２ｃが接続され、線路母線３１ａ〜３１ｃの各先端にはそれぞれ例えば気中ブッシング３３ａ〜３３ｃが接続されている。また、気中ブッシング３２ａ〜３２ｃ，３３ａ〜３３ｃの相互間隔は例えば等間隔である。
【００６０】
本実施の形態によれば、隣接する３相ユニット５０，５１間で線路母線の引き出し方向を互いに逆向きにしたので、同じ向きにした場合のようにユニット間距離を確保して線路母線同士がぶつからないようにする必要がない。そのため、主母線長を短くすることができる。
【００６１】
なお、３相ユニットが３つ以上設けられている場合も同様であり、隣接する３相ユニット間で線路母線の引き出し方向が第２方向において互いに逆向きになるように構成することで上記と同様の効果が得られる。
【００６２】
実施の形態３．
図５は、本実施の形態にかかるガス絶縁開閉装置の構成を示す上面図、図６は、本実施の形態にかかるガス絶縁開閉装置の構成を示す側面図、図７は、図６におけるＢ−Ｂ断面図である。なお、図５〜図７では、内部構成を一部透視した形で示している。また、図５〜図７では、図１〜図３と同一の構成要素には同一の符号を付している。以下では、図１〜図３との相違を中心に説明する。
【００６３】
本実施の形態にかかるガス絶縁開閉装置は３相ユニット５２を備えてなり、この３相ユニット５２は、Ａ相、Ｂ相、およびＣ相の各遮断器ユニットと、Ａ相の主母線２５ａ，３５ａと、Ａ相の線路母線２６ａ，２７ａと、Ｂ相の主母線２５ｂ，３５ｂと、Ｂ相の線路母線２６ｂ，２７ｂと、Ｃ相の主母線２５ｃ，３５ｃと、Ｃ相の線路母線２６ｃ，２７ｃと、線路母線２６ａ〜２６ｃの各先端に設けられた例えば気中ブッシング２８ａ〜２８ｃと、線路母線２７ａ〜２７ｃの各先端に設けられた例えば気中ブッシング２９ａ〜２９ｃと、を備えて構成される。なお、Ａ相、Ｂ相、およびＣ相の遮断器ユニットの構成は、図１〜図３と同様であるため省略する。
【００６４】
本実施の形態では、第１方向（実施の形態１で定義）に同じ高さで延伸する主母線２５ａ〜２５ｃ，３５ａ〜３５ｃが設けられているが、主母線２５ａ〜２５ｃ，３５ａ〜３５ｃの設置位置が、実施の形態１の主母線１５ａ〜１５ｃ，１７ａ〜１７ｃの場合とは異なる。
【００６５】
例えば主母線３５ａは、遮断器１ａ上に設けられた断路器１６ａの上に配置されている（図６、図７）。詳細には、断路器１６ａは、その一端部が遮断器１ａ上に配置されるとともに、その他端部が遮断器１ａから離れるように第２方向（実施の形態１で定義）に沿ってＢ相の遮断器ユニット側に引き出されている（図５）。そして、この断路器１６ａの他端部の上部に主母線３５ａが接続されている。ここで、主母線３５ａは、第１方向に延伸した状態で断路器１６ａの他端部に直接接続されている。なお、実施の形態１では、主母線１７ａは、断路器１６ａと同じ高さで断路器１６ａに接続されている。
【００６６】
また、例えば主母線２５ａは、遮断器１ａ上に設けられた断路器２４ａの上に配置されている（図６）。詳細には、断路器２４ａは、その一端部が遮断器１ａ上に配置されるとともに、その他端部が遮断器１ａから離れるように第２方向に沿ってＢ相の遮断器ユニット側とは反対側に引き出されている（図５）。そして、この断路器２４ａの他端部の上部に主母線２５ａが接続されている。ここで、主母線２５ａは、第１方向に延伸した状態で断路器２４ａの他端部に直接接続されている。なお、実施の形態１では、主母線１５ａは、断路器２４ａと同じ高さで断路器２４ａに接続されている。
【００６７】
なお、Ｂ相の主母線２５ｂ，３５ｂ、およびＣ相の主母線２５ｃ，３５ｃについても上記と同様である。図７では、断路器１６ａ〜１６ｃ上に、それぞれ主母線３５ａ〜３５ｃの一端部である母線接続部８８ａ〜８８ｃが配置されている。
【００６８】
また、本実施の形態では、主母線２５ａ〜２５ｃ，３５ａ〜３５ｃをそれぞれ対応する断路器の上部に設けるようにしたことで、各断路器の操作軸の設置箇所が実施の形態１の場合とは異なる。例えばＡ相についてみれば、断路器１６ａの側面には、断路器１６ａを開閉操作するための操作軸７０ａが設けられている。操作軸７０ａは側方に突き出ている。また、断路器１８ａの側面には、断路器１８ａを開閉操作するための操作軸７１ａが設けられ、操作軸７１ａは側方に突き出ている。また、断路器１９ａの上部には、断路器１９ａを開閉操作するための操作軸７２ａが設けられ、操作軸７２ａは、側方に突き出ている。また、断路器２１ａの側面には、断路器２１ａを開閉操作するための操作軸７３ａが設けられ、操作軸７３ａは、側方に突き出ている。また、断路器２２ａの側面には、断路器２２ａを開閉操作するための操作軸７４ａが設けられ、操作軸７４ａは側方に突き出ている。また、断路器２４ａの側面には、断路器２４ａを開閉操作するための操作軸７５ａが設けられ、操作軸７５ａは側方に突き出ている。なお、線路断路器５ａ，７ａの各操作軸の設置箇所は、実施の形態１の場合と同様である。
【００６９】
次に、操作連結ロッド６０〜６５について説明する。前述のように断路器１６ａの側面には操作軸７０ａが設けられているが、断路器１６ｂ，１６ｃの側面にもそれぞれ同様の箇所に操作軸（図示せず）が設けられている。操作連結ロッド６０（第１の操作連結ロッド）は、第２方向に延在して断路器１６ａ〜１６ｃの各操作軸に連結され、当該３相の断路器を一括操作することができる。このとき、断路器１６ａ〜１６ｃの各操作軸は各遮断器の側方に突き出ているため、操作連結ロッド６０を各操作軸に容易に連結することができる。これは断路器１８ａ〜１８ｃについても同様であり、操作連結ロッド６１（第２の操作連結ロッド）は、第２方向に延在して断路器１８ａ〜１８ｃの各操作軸にそれぞれ連結され、断路器１８ａ〜１８ｃを一括操作することができる。同様にして、操作連結ロッド６２（第３の操作連結ロッド）は断路器１９ａ〜１９ｃを、操作連結ロッド６３（第４の操作連結ロッド）は断路器２１ａ〜２１ｃを、操作連結ロッド６４（第５の操作連結ロッド）は断路器２２ａ〜２２ｃを、操作連結ロッド６５（第６の操作連結ロッド）は断路器２４ａ〜２４ｃを、それぞれ一括操作することができる。なお、操作連結ロッド４２（第７の操作連結ロッド）、および操作連結ロッド４３（第８の操作連結ロッド）については、実施の形態１の場合と同様である。
【００７０】
本実施の形態によれば、主母線３５ａ〜３５ｃ（第１の主母線）をそれぞれ遮断器１ａ〜１ｃ（第１の遮断器）に付設された断路器１６ａ〜１６ｃの上部に配置し、主母線２５ａ〜２５ｃ（第２の主母線）をそれぞれ遮断器３ａ〜３ｃ（第３の遮断器）に付設された断路器２４ａ〜２４ｃの上部に配置したので、相間距離を短くすることができる。従って、実施の形態１の場合よりもガス絶縁開閉装置の据付面積は縮小される。
【００７１】
また、本実施の形態によれば、操作連結ロッド６０〜６５の設置箇所が断路器１６ａ〜１６ｃなどの側面であるので、その取り付けが容易になる。なお、本実施の形態のその他の効果は、実施の形態１と同様である。
【００７２】
実施の形態４．
図８は、本実施の形態にかかるガス絶縁開閉装置の構成を示す上面図である。図８に示すように、本実施の形態にかかるガス絶縁開閉装置は、隣接する２つの３相ユニット５２，５３を備えている。ここで、３相ユニット５２は、主母線２５ａ〜２５ｃ，３５ａ〜３５ｃの接続形態を除けば、実施の形態３で説明したものと同じである。また、３相ユニット５３は、３相ユニット５２と同様の遮断器ユニットから構成され、各遮断器ユニットの配置も３相ユニット５２の場合と同様である。なお、３相ユニット５３は、３相ユニット５２と主母線２５ａ〜２５ｃ，３５ａ〜３５ｃを共有している。
【００７３】
３相ユニット５３と３相ユニット５２との違いは、線路母線の引き出し方向の違いである。すなわち、３相ユニット５２の線路母線２６ａ〜２６ｃ，２７ａ〜２７ｃの引き出し方向と、３相ユニット５３の線路母線３０ａ〜３０ｃ，３１ａ〜３１ｃの引き出し方向とは、実施の形態１で定義した第２方向において互いに逆向きになっている。なお、線路母線３０ａ〜３０ｃの各先端にはそれぞれ例えば気中ブッシング３２ａ〜３２ｃが接続され、線路母線３１ａ〜３１ｃの各先端にはそれぞれ例えば気中ブッシング３３ａ〜３３ｃが接続されている。また、気中ブッシング３２ａ〜３２ｃ，３３ａ〜３３ｃの相互間隔は例えば等間隔である。
【００７４】
本実施の形態は、実施の形態２と同様の効果を奏する。なお、３相ユニットが３つ以上設けられている場合も同様であり、隣接する３相ユニット間で線路母線の引き出し方向が第２方向において互いに逆向きになっていれば、上記と同様の効果が得られる。
【産業上の利用可能性】
【００７５】
以上のように、本発明にかかるガス絶縁開閉装置は、主母線長短縮化、ならびに、相間距離および遮断器間距離の縮小化に適している。
【符号の説明】
【００７６】
１ａ〜１ｃ，２ａ〜２ｃ，３ａ〜３ｃ  遮断器
４ａ，６ａ，８ａ，９ａ  引出し口
５ａ〜５ｃ，７ａ  線路断路器
１０  架台
１１ａ〜１１ｃ  引出し口
１３  操作装置
１５ａ〜１５ｃ  主母線
１６ａ〜１６ｃ，１８ａ〜１８ｃ，１９ａ〜１９ｃ  断路器
１７ａ〜１７ｃ  主母線
２０ａ〜２０ｃ  ベローズ
２１ａ〜２１ｃ，２２ａ〜２２ｃ，２４ａ〜２４ｃ  断路器
２３ａ〜２３ｃ  接続タンク
２５ａ〜２５ｃ  主母線
２６ａ〜２６ｃ，２７ａ〜２７ｃ  線路母線
２８ａ〜２８ｃ，２９ａ〜２９ｃ  気中ブッシング
３０ａ〜３０ｃ，３１ａ〜３１ｃ  線路母線
３２ａ〜３２ｃ，３３ａ〜３３ｃ  気中ブッシング
３４  断路器タンク
３５ａ〜３５ｃ  主母線
３６〜４１  操作連結ロッド
４２，４３  操作連結ロッド
５０，５１，５２，５３  ３相ユニット
６０〜６５  操作連結ロッド
７０ａ，７１ａ，７２ａ，７３ａ，７４ａ，７５ａ  操作軸
８０ａ，８１ａ〜８１ｃ，８４ａ，８５ａ  計器用変流器
８８ａ〜８８ｃ  母線接続部
９０ａ，９１ａ，９２ａ，９３ａ，９４ａ，９５ａ，９６ａ，９７ａ  操作軸
【図１】
2011042947.tif 000003
【図２】
2011042947.tif 000004
【図３】
2011042947.tif 000005
【図４】
2011042947.tif 000006
【図５】
2011042947.tif 000007
【図６】
2011042947.tif 000008
【図７】
2011042947.tif 000009
【図８】
2011042947.tif 000010
【図９】
2011042947.tif 000011
【国際調査報告】
2011042947.tif 000012
2011042947.tif 000013
2011042947.tif 000014